(57)【要約】【課題】  従来、屋根に積もった雪を下ろすには、人が屋根に登りスコップ等で切り下ろす方法がとられており、この作業は高齢者には困難な労力の大きさ、滑落の危険がある。  一方、大型の作業機械による場合は、高度な熟練技術が必要、多大な費用が掛かる、家屋損傷の恐れ等の課題がある。  本発明は、上記背景の下に、チェーンを利用する簡単な構造で、屋根の雪を安全で能率的に下ろすことの出来る雪下ろし装置である。【解決手段】  屋根にほぼ水平に張り渡したチェーンと、該チェーンに噛合う鎖車と、該鎖車と実質的に係合する雪を切り下ろす為のループ状のチェーンを含む雪下ろし装置。【選択図】  図８
2007291823.tif 000002
【特許請求の範囲】
【請求項１】
屋根にほぼ水平に張り渡したチェーンと、該チェーンに噛合う鎖車を有する移動ユニットと、該鎖車と実質的に係合するループ状のチェーンを含む雪下ろし装置。
【請求項２】
屋根にほぼ水平に張り渡したチェーンと、該チェーンに噛合う鎖車を有する移動ユニットと、該鎖車と実質的に係合するループ状のチェーンと、該ループ状のチェーンを駆動する駆動ユニットを含む雪下ろし装置。
【請求項３】
屋根の棟付近に張り渡したチェーンと、屋根の軒付近に張り渡したチェーンと、該夫々のチェーンに噛合う鎖車を有する移動ユニットと、該鎖車と実質的に係合するループ状のチェーンと、該ループ状のチェーンを駆動する駆動ユニットを含む雪下ろし装置。
【請求項４】
屋根の表面に防護用のネットを張ったことを含む請求項１、２及び３記載の雪下ろし装置。
【発明の詳細な説明】
【技術分野】
【０００１】
本発明は、降雪量の多い地域で屋根に積もった雪を下ろすために使用する装置であり、簡単な構造で、安全に大量の雪を容易に下ろすことの出来る装置である。
【背景技術】
【０００２】
従来、屋根に積もった雪を下ろすには、人が屋根に登り、スコップ等で少しずつ雪を切り下ろす方法がとられている。  この作業は大きな労力を必要とするうえ、滑落の危険もあり、特に高齢者には大変困難であった。
【０００３】
又、大型の作業機械による場合は高度な熟練技術を必要とするだけでなく、費用も掛かる上、もし失敗すれば家屋を損傷する可能性も有る。  
【特許文献１】特開２０００−２３４４２６  さらに、屋根に設置した移動装置上にカッターまたはローラーによって雪を下ろす方式のものも提案されている。
【特許文献２】特開２０００−２７４１１１
【特許文献３】特開２０００−２４０２２８  しかし、両者とも大きな移動装置を屋根の上に設置する必要があるとともに、その移動手段にもカッターやローラー自体の重量を支える大きな動力を必要とするものであり、個人の家屋に設置するには負担が大きい。  その他、熱によって積もった雪を溶かす方法もあるが、電力または石油などの費用が極めて大きなものとなる。
【発明の開示】
【発明が解決しようとする課題】
【０００４】
本発明は、上記背景の下に成立したものであり、チェーンを利用することで簡単な構造で、安全に大量の雪を容易に下ろすことの出来る雪下ろし装置である。
【課題を解決するための手段】
【０００５】
本発明の第１の手段は、屋根にほぼ水平に張り渡したチェーンと、該チェーンに噛合う鎖車有する移動ユニット有する移動ユニットと、該鎖車と実質的に係合するループ状のチェーンを手動で動かすことによって屋根に積もった雪を切り落とす方式の雪下ろし装置を提供するものである。
【０００６】
本発明の第２の手段は、屋根にほぼ水平に張り渡したチェーンと、該チェーンに噛合う鎖車と、該鎖車と実質的に係合するループ状のチェーンと、該ループ状のチェーンを駆動する駆動ユニットを含む雪下ろし装置を提供するものである。
【０００７】
本発明の第３の手段は、屋根の棟付近に張り渡したチェーンと、屋根の軒付近に張り渡したチェーンと、該夫々のチェーンに噛合う鎖車を有する移動ユニットと、該鎖車と実質的に係合するループ状のチェーンと、該ループ状のチェーンを駆動する駆動ユニットを含む雪下ろし装置を提供するものである。
【０００８】
本発明の第４の手段は、屋根の表面に防護用のネットを張ったことを含む上記の雪下ろし装置を提供するものである。
【発明の効果】
【０００９】
本発明の雪下ろし装置は、屋根にほぼ水平に張り渡したチェーンと、該チェーンに噛合う鎖車と、該鎖車と実質的に係合するループ状のチェーンを手動または、電動モータその他の動力によって遠隔操作で動かすことによって屋根に積もった雪を切り落とす方式のものであり、チェーンは雪の切り落とし効果と移動ユニットの移動手段とを兼用することが出来る為に、装置の簡略化を可能とし、人手によっても容易に動かすことが出来る上、大幅なコストダウンが可能であると同時に、電動モータその他の動力を使用して遠隔操作が出来る為に安全性と高い作業能率を両立させることが出来るものである。
【００１０】
又、屋根の表面に張った防護用のネットは移動ユニット及びチェーンの動きによって生じる可能性のある屋根の損傷を極めて安価に防止することが出来る上、仮に人が屋根に上がった時の滑落を有効に防止することが出来る。
従って、本発明の雪下ろし装置の豪雪地域における社会的効果は極めて著しい。
【発明を実施するための最良の形態】
【００１１】
本発明の第１の実施手段の構造は、屋根の棟付近にほぼ水平に張り渡したチェーンはその両端を固定部材で屋根の棟の両端に固定されている。該チェーンに噛合う鎖車を有する移動ユニットは減速機構を介してループ状のチェーンを備えている。  又、屋根の表面は防護用のネットによって覆われており、移動ユニット及びチェーンが屋根の上を移動する時に屋根を損傷することを防止している。  ループ状のチェーンを手動で動かすことによって該チェーンが屋根に積もった雪を切り落とすと同時に上記移動ユニットをほぼ水平に張り渡したチェーンに沿って移動することが出来る為に、屋根全面に積もった雪を能率よく切り落とすことが出来るものである。  積雪量が多い場合にはループ状のチェーンを双方向に反復して動かすことによって確実に雪を切り落とすことが出来る。  尚、ループ状のチェーンは充分長めに設定しておくことで、人は軒下から離れて作業することが出来るので落下した雪によって生ずる危険を防止することが出来る。
このように本発明の雪下ろし装置は、屋根に積もった大量の雪を安全且、能率的に切り下ろすことを可能にするものである。
【実施例１】
【００１２】
以下図について本発明の実施形態について説明する。
図１は本発明の一実施形態の構造を示す模式配置図である。
図１において、屋根１の棟２付近にほぼ水平に張り渡したチェーン３はその両端を固定部材４で屋根１の棟２の両端に固定されている。  該チェーン３に噛合う鎖車５を有する移動ユニット６は、鎖車５と係合する減速鎖車７を介してループ状のチェーン８を備えている。  又、屋根１の表面は防護用のネット９によって覆われており、移動ユニット６及びループ状のチェーン８が屋根１の上を移動する時に屋根１を損傷することを防止している。  ループ状のチェーン８を手動で動かすことによって該ループ状のチェーン８が屋根１に積もった雪を切り落とすと同時に上記移動ユニット６を水平に張り渡したチェーン３に沿って移動することが出来る為に屋根１の全面に積もった雪を能率よく切り落とすことが出来るものである。  積雪量が多い場合にはループ状のチェーン８を双方向に反復して動かすことによって確実に雪を切り落とすことが出来る。  尚、ループ状のチェーン８は充分長めに設定しておくことで、人は軒下から離れて作業することが出来るので落下した雪によって生ずる危険を防止することが出来る。
このように本発明の雪下ろし装置は、屋根に積もった大量の雪を人手によって安全且、能率的に切り下ろすことを可能にするものである。
【００１３】
図２は本発明の固定部材４の構造を示す部分正面図であり、図３はその側面図である。
図２及び図３において、一対のバー４１の一端に設けた穴４２は屋根１の手前と奥でチェーン４３によって繋がれており、バー４１の他端には受板４４が固定されている。  受板４４は屋根１の端にクッションシート４５を介して係合し、受板４４のピン４６はチェーン４７を介して他の受板４４のピン４６と結合されている。  チェーン３は穴４２に掛けられ、屋根１の手前と奥に屋根１の両端で引き合うごとくほぼ水平に２本張り渡されている。
片流れの屋根においては奥側のチェーンは省略することが出来るが、この場合屋根の形状によっては固定部材の形状を変更する必要がありうる。
【００１４】
図４は、本発明の移動ユニット６の構造を示す部分正面図であり、図５はその側面図である。
図４及び図５において、ユニットベース６１には鎖車５と同軸に形成された第３の鎖車６２と、減速鎖車７と同軸に形成された第４の鎖車６３が軸６４、６５によって回転自在に設けられており、第３の鎖車６２と第４の鎖車６３は減速チェーン６６に噛合い、減速鎖車７の回転を減速して鎖車５に伝えている。  鎖車５の両側にはチェーン３の外れ防止のためにガイドローラー６７が軸６８によって回転自在に設けられ、ループ状のチェーン８がかけられた減速鎖車７の両側には該ループ状のチェーン８の外れ防止のためにガイドローラー６９が軸７０によって回転自在に設けられている。  ７１は支柱であり、７２は上面カバーである。
【００１５】
上記のごとく構成された本発明の雪下ろし装置の作用について説明する。
軒下まで垂下したループ状のチェーン８の垂下部の一端を引くと減速鎖車７を介して鎖車５が減速されて回転し、該鎖車５に噛合うチェーン３に沿って移動ユニット６が移動する。  従って、移動ユニット６の移動につれてループ状のチェーン８で積もった雪を切り落としていくことが出来る。  移動ユニット６の移動が速過ぎる場合にはループ状のチェーン８の垂下部の他端を引くことで移動ユニット６を逆方向に移動する。  この動作を反復することで能率よく雪を切り落とすことが出来る。  このようにして、移動ユニット６を屋根１の棟２の全域に亘って移動することで屋根１の全面の雪を切り落とすことが出来る。  尚、ループ状のチェーン８の垂下部は充分長くしておき、作業する人は屋根の軒下から離れて作業することによって、屋根１から落ちる雪によって生ずる危険を回避することが出来る。  
【００１６】
このとき、防護用のネット９はループ状のチェーン８及び移動ユニット６の移動によって屋根１と直接接触することによる損傷を防止するものである。  防護用のネット９の材質は適度に太さのある耐候性、耐磨耗性の高い合成樹脂製のものが望ましく、軒の付近には防護用のネット９の下端に金属または合成樹脂のバーを取り付けることもループ状のチェーン８と屋根１との接触を防止する上で有効である。
【００１７】
両流れの屋根の場合は、上記構造の雪下ろし装置を棟２の両サイドに設置する必要があり、寄せ棟式の屋根では対角線を挟んで２セット乃至４セットの雪下ろし装置を必要にとする場合がある。  尚、この場合の鎖車５と減速鎖車７の減速比は任意に変更することが可能である。  又、この減速方式はチェーンによるもの以外にタイミングベルトやアイドルギヤーを介した歯車装置でも良いことは云うまでもない。
【００１８】
又、図２及び図３に示す固定部材４の形状は屋根の形状に合わせて変更されるものであり、やむをえない場合には屋根自体に何らかの工事方法で固定する必要もある。
【００１９】
図６は、本発明の他の実施形態の構造を示す模式配置図であり、図７はその部分側面図である。
図６において、図１に示す実施形態との相違点は移動ユニット６のユニットベース６１に２本のバー８１が固着されており、その他端には屋根１の軒付近にブラケット８２が固着され、該ブラケット８２には電動モータ８３が取り付けられている。
更に図７に示すごとくブラケット８２に取り付けられた電動モータ８３の回転軸８４には鎖車８５がループ状のチェーン８と噛合った状態で設けられたことによってループ状のチェーン８を駆動する駆動ユニット８０を構成している。  電動モータ８３には図示しないケーブルによって電源及び駆動信号が送られ、遠隔操作が可能にされている。
【００２０】
図６及び図７に示す実施例においては、外部から電気信号による遠隔操作でループ状のチェーン８を動かすため、人が軒下に近づく必要がないために落雪による被害を受けることがない。しかし、ループ状のチェーン８の下端部の駆動ユニット８０は固定されていない為に、揺動して雪に充分な力が伝わらず切り取り効率が低下する恐れがある。  これを改善する為に電動モータ８３を下方に取り付けその重量を利用するものである。
【００２１】
図８は本発明の他の実施形態の構造を示す模式配置図であり、図９はその構造を示す部分側面図である。
図８及び図９において、図１及び図４に示す実施形態との相違点は屋根１の棟２付近にほぼ水平に張り渡したチェーン３とほぼ並行に軒１０１付近にチェーン１０３を張り渡している点と、該チェーン１０３に噛合う鎖車１０５を有する移動ユニット１０６は、鎖車１０５と一体に構成した減速鎖車１０７と、ループ状のチェーン８に噛合う鎖車１０８と一体に構成した減速鎖車１０９と、該減速鎖車１０７と１０９とに噛合う減速チェーン１１０を有する。  １１１は移動ユニット１０６の上面ブラケットである。  更に、鎖車１０８は上面ブラケット１１１に固着された電動モータ１１２の回転軸１１３に固着された状態でループ状のチェーン８の駆動ユニット１２０を構成しており、図示しないケーブルによって供給される電源及び駆動信号によって遠隔駆動される。
【００２２】
尚、本実施形態の場合には固定部材１１４にはガイドバー１１５が端末部材１１６によって固着されており、上下の固定部材１１４はテンションチェーン１１７で引き合って脱落を防止している。  また、上下の移動ユニット６と１０６は図６及び図７に示す実施形態と同様にバー８１によって結合されている。  更に、上下のガイドバー１１５にはガイド１１８を介して上下の移動ユニット６及び１０６が摺動可能に支持されている。  このことで、移動ユニット６及び１０６は屋根１の上を滑らかに移動することが出来るため、屋内にいる人が騒音を感じることがない。  尚、ガイド１１８はローラー方式によるものでも良いが、ガイドバー１１５に付着する雪や氷を掻き落とす機能の為には摺動方式が有効である。  ガイド１１８の材質は低摩擦で低温に強い合成樹脂が適している。
【００２３】
また、図６、７、８及び９に示す実施形態においては、バー８１によって軸間距離が決められているので、ガイドローラー６９は不要であり、ループ状のチェーン８には人が手を触れることはないので、切り刃状あるいは板状の突起１１９を設けて雪を切り下ろす効率を向上することも可能である。
【００２４】
図８及び図９に示す実施形態の動作について説明する。  電動モータ１１２を外部から遠隔操作することで回転すると、移動部材６及び１０６がチェーン３及び１０３に沿ってほぼ水平に移動するとともに、ループ状のチェーン８が雪を切り落とす。  この運動は、必要な時に任意に行なう他、常時遅い速度で連続して移動することや、タイマーなどを用いて間歇的に動かすことによって雪が厚く降り積もる前に安全に切り落とす効果を得ることが出来るものである。  従って、人が大きな落雪によって怪我をすることがない極めて安全性の高いものとなる上、雪の重さで屋根が崩壊する恐れも同時に防止することが出来るものである。
【００２５】
図１０は本発明の他の実施形態の構造を示す模式配置図であり、図１１はその構造を示す部分側面図である。
図１０及び図１１に示す実施形態は主に寄棟型の屋根に適合するものである。  図１０及び図１１において、屋根１２１の軒１３０の両端には固定部材１２２が配置され、端末部材１１６を介してガイドバー１１５を支えている。  該ガイドバー１１５に摺動自在に配置された移動ユニット１２３には、鎖車１０８が上面ブラケット１１１に固着された電動モータ１１２の回転軸１１３に固着された状態でループ状のチェーン８の駆動ユニット１２０を構成しており、上面ブラケット１１１に取り付けられた電動モータ１１２の回転軸１１３と同芯上で揺動可能に軸１２４によって支持された揺動板１２５にバー８１が固着されている。  バー８１の上端にはループ状のチェーン８を介して鎖車１０８と係合する鎖車１２６を回転自在に軸支持する上部ユニット１２７が固着され、該上部ユニット１２７はチェーン１２８によって屋根１２１の頂部に取り付けた固定部材１２９から吊り下げられている。  チェーン１２８の長さは移動ユニット１２３が一方の固定部材１２２に接近した時に伸びきる状態とすることが望ましい。  チェーン１０３は図８に示す実施形態と同様に鎖車１０５と噛合っている。
【００２６】
図１０及び図１１に示す実施形態の動作について説明する。  電動モータ１１２を外部から遠隔操作することで回転軸１１３が回転すると、鎖車１０９が回転し、該鎖車１０９に係合する減速チェーン１１０を介して減速鎖車１０７と鎖車１０５が一体的に回転するので、移動ユニット１２３はチェーン１０３と鎖車１０５の噛合いによって一方の固定部材１２２の付近からガイドバー１１５に沿ってほぼ水平に移動する。  上部ユニット１２７はチェーン１２８が弛むので一旦は動きが遅れるが、最終的に移動ユニット１２３が他方の固定部材１２２に接近する時にはチェーン１２８は伸びきり、図１０に示す状態と対称な位置で止まることとなる。  この間にループ状のチェーン８が雪を切り落とすことは図８、図９に示す実施形態と同じである。  このことで、寄棟型の屋根１２１のほぼ全域の雪を下ろす事が出来る。  尚、図１０及び図１１に示す実施形態においても突起１１９を使用して雪を切り下ろす効率を向上させることが出来る。
【００２７】
以上の説明で明らかなごとく、本発明の雪下ろし装置は、屋根に積もった雪を安全且、能率的に切り下ろすことを可能にするものであり、豪雪地帯の雪氷災害を大幅に軽減する極めて有効なものである。
【図面の簡単な説明】
【００２８】
【図１】本発明の一実施形態の構造を示す模式配置図である。
【図２】本発明の固定部材４の構造を示す部分正面図である。
【図３】本発明の固定部材４の構造を示す部分側面図である。
【図４】本発明の移動ユニット６の構造を示す部分正面図である。
【図５】本発明の移動ユニット６の構造を示す部分側面図である。
【図６】本発明の他の実施形態の構造を示す模式配置図である。
【図７】本発明の他の実施形態の構造を示す部分側面図である。
【図８】本発明の他の実施形態の構造を示す模式配置図である。
【図９】本発明の他の実施形態の構造を示す部分側面図である。
【図１０】本発明の他の実施形態の構造を示す模式配置図である。
【図１１】本発明の他の実施形態の構造を示す部分側面図である。
【符号の説明】
【００２９】
１：屋根
２：棟
３：チェーン
４：固定部材
５：鎖車
６：移動ユニット
７：減速鎖車
８：ループ状のチェーン
９：防護用のネット
４１：バー
４２：穴
４３：チェーン
４４：受板
４５：クッションシート
４６：ピン
６１：ユニットベース
６２：第３の鎖車
６３：第４の鎖車
６４、６５：軸
６６：減速チェーン
６７：ガイドローラー
６８：軸
６９：ガイドローラー
７０：軸
７１：支柱
７２：上面カバー
８０：駆動ユニット
８１：バー
８２：ブラケット
８３：電動モータ
８４：回転軸
８５：鎖車
１０１：軒
１０３：チェーン
１０５：鎖車
１０６：移動ユニット
１０７：減速鎖車
１０８：鎖車
１０９：減速鎖車
１１０：減速チェーン
１１１：上面ブラケット
１１２：電動モータ
１１３：回転軸
１１４：固定部材
１１５：ガイドバー
１１６：端末部材
１１７：テンションチェーン
１１８：ガイド
１１９：突起
１２０：駆動ユニット
１２１：屋根
１２２：固定部材
１２３：移動ユニット
１２４：軸
１２５：揺動板
１２６：鎖車
１２７：上部ユニット
１２８：チェーン
１２９：固定部材
１３０：軒
【図１】
2007291823.tif 000003
【図２】
2007291823.tif 000004
【図３】
2007291823.tif 000005
【図４】
2007291823.tif 000006
【図５】
2007291823.tif 000007
【図６】
2007291823.tif 000008
【図７】
2007291823.tif 000009
【図８】
2007291823.tif 000010
【図９】
2007291823.tif 000011
【図１０】
2007291823.tif 000012
【図１１】
2007291823.tif 000013